(57)【要約】【課題】  少ないレベル測定部で様々な勾配を測定可能となり、尚且つ量産性にも秀れた勾配測定器を提供すること。【解決手段】  測定面１に当接する基準部２を下部に備えたレベル体３に、円弧周面部４Ａを有する円盤状，半円盤状若しくは扇盤状の中空盤状収容体４を付設し、この収容体４内に液体を収納することで形成した気泡５が前記円弧周面部４Ａに沿って移動するように構成し、この円弧周面部４Ａ若しくはこの円弧周面部４Ａ近傍のレベル体３表面に勾配表示６を設けて、気泡５位置に対応するこの勾配表示６を読み取ることで勾配を測定し得るように構成する。【選択図】      図１
2005291965.tif 000002
【特許請求の範囲】
【請求項１】
測定面に当接する基準部を下部に備えたレベル体に、円弧周面部を有する円盤状，半円盤状若しくは扇盤状の中空盤状収容体を付設し、この収容体内に液体を収納することで形成した気泡が前記円弧周面部に沿って移動するように構成し、この円弧周面部若しくはこの円弧周面部近傍のレベル体表面に勾配表示を設けて、気泡位置に対応するこの勾配表示を読み取ることで勾配を測定し得るように構成したことを特徴とする勾配測定器。
【請求項２】
前記収容体は半円盤状若しくは扇盤状に形成し、この収容体の前記円弧周面部に沿って前記気泡が移動し得るように構成したことを特徴とする請求項１記載の勾配測定器。
【請求項３】
前記レベル体の側面部を、このレベル体を横にして側面部が水平測定面に当接した際、前記収容体の側盤面側へ移動する前記気泡がこの側盤面で静止する横基準面に構成したことを特徴とする請求項１，２のいずれか１項に記載の勾配測定器。
【請求項４】
半円形若しくは扇形を呈する中空盤状の収容体の辺面を測定面に当接する基準辺面とし、この収容体内に、液体を収納することで気泡を形成すると共に、この気泡が前記円弧周面部に沿って移動するように構成し、この円弧周面部に勾配表示を設けて、気泡位置に対応するこの勾配表示を読み取ることで勾配を測定し得るように構成したことを特徴とする勾配測定器。
【請求項５】
前記収容体の側盤面を、この収容体を横にして側盤面が水平測定面に当接した際、この収容体の側盤面側へ移動する前記気泡がこの側盤面で静止する横基準面に構成したことを特徴とする請求項４記載の勾配測定器。
【請求項６】
前記収容体の円弧状周縁部の円周方向と直交する方向の横幅を、前記気泡の横幅よりも大きく設定して、この円弧状周縁部に対して気泡が横移動し得るように構成し、この気泡の横移動により前記勾配表示による勾配と直交する方向の傾きを測定し得るように構成したことを特徴とする請求項１〜５のいずれか１項に記載の勾配測定器。
【請求項７】
前記円弧状周縁部の断面形状を、略平坦面状に形成したことを特徴とする請求項６記載の勾配測定器。
【発明の詳細な説明】
【技術分野】
【０００１】
本発明は、勾配測定器に関するものである。
【背景技術】
【０００２】
この種の勾配測定器として、法勾配器がある。
【０００３】
この法勾配器を簡単に説明すると、レベル体にレベル気泡管を多数個を直列に並設すると共に、夫々のレベル気泡管を例えば、垂直，２分，３分，４分，５分，８分，水平の各勾配に合わせた傾斜に設置固定した構成であり、例えば、２分勾配の測定には、２分勾配のレベル気泡管の気泡を指示線に合わせて測定する。
【０００４】
しかし、このような従来の勾配測定器は、レベル気泡管が多数必要となる上、組み立て製作も複雑となり、更にレベル気泡管を多数直列に並べるだけの長さがレベル体に必要となるため、コスト高となってしまう。
【０００５】
また、従来、レベル体に円弧状に湾曲する一本の長い気泡管を設け、この円弧状の気泡管若しくは気泡管の近傍に勾配指示線を形成して、気泡位置に対応するこの勾配指示線を読み取ることで勾配を測定し得る勾配測定器もあり、この円弧状の気泡管を備えた勾配測定器によれば、前記問題点は解消する。
【発明の開示】
【発明が解決しようとする課題】
【０００６】
ところが、この円弧状の気泡管を有する勾配測定器においては、円弧状に湾曲する気泡管の製作が非常に厄介であり、量産性に劣るという欠点があった。
【０００７】
本発明は、このような従来の問題点に鑑み、少ないレベル測定部で様々な勾配を測定可能となり、尚且つ量産性にも秀れた画期的な勾配測定器を提供するものである。
【課題を解決するための手段】
【０００８】
添付図面を参照して本発明の要旨を説明する。
【０００９】
測定面１に当接する基準部２を下部に備えたレベル体３に、円弧周面部４Ａを有する円盤状，半円盤状若しくは扇盤状の中空盤状収容体４を付設し、この収容体４内に液体を収納することで形成した気泡５が前記円弧周面部４Ａに沿って移動するように構成し、この円弧周面部４Ａ若しくはこの円弧周面部４Ａ近傍のレベル体３表面に勾配表示６を設けて、気泡５位置に対応するこの勾配表示６を読み取ることで勾配を測定し得るように構成したことを特徴とする勾配測定器に係るものである。
【００１０】
また、前記収容体４は半円盤状若しくは扇盤状に形成し、この収容体４の前記円弧周面部４Ａに沿って前記気泡５が移動し得るように構成したことを特徴とする請求項１記載の勾配測定器に係るものである。
【００１１】
また、前記レベル体３の側面部を、このレベル体３を横にして側面部が水平測定面１に当接した際、前記収容体４の側盤面側へ移動する前記気泡５がこの側盤面で静止する横基準面３Ａに構成したことを特徴とする請求項１，２のいずれか１項に記載の勾配測定器に係るものである。
【００１２】
また、半円形若しくは扇形を呈する中空盤状の収容体４の辺面を測定面１に当接する基準辺面11とし、この収容体４内に、液体を収納することで気泡５を形成すると共に、この気泡５が前記円弧周面部４Ａに沿って移動するように構成し、この円弧周面部４Ａに勾配表示６を設けて、気泡５位置に対応するこの勾配表示６を読み取ることで勾配を測定し得るように構成したことを特徴とする勾配測定器に係るものである。
【００１３】
また、前記収容体４の側盤面を、この収容体４を横にして側盤面が水平測定面１に当接した際、この収容体４の側盤面側へ移動する前記気泡５がこの側盤面で静止する横基準面４Ｂに構成したことを特徴とする請求項４記載の勾配測定器に係るものである。
【００１４】
また、前記収容体４の円弧状周縁部４Ａの円周方向と直交する方向の横幅を、前記気泡５の横幅よりも大きく設定して、この円弧状周縁部４Ａに対して気泡５が横移動し得るように構成し、この気泡５の横移動により前記勾配表示６による勾配と直交する方向の傾きを測定し得るように構成したことを特徴とする請求項１〜５のいずれか１項に記載の勾配測定器に係るものである。
【００１５】
また、前記円弧状周縁部４Ａの断面形状を、略平坦面状に形成したことを特徴とする請求項６記載の勾配測定器に係るものである。
【発明の効果】
【００１６】
本発明は上述のように構成したから、異なる勾配を示した多数の気泡管を要せずとも、円弧周面部を移動する気泡によって様々な勾配を測定可能となり、しかも本発明では、円弧周面部を有する中空盤状の収容体を気泡管の代わりに採用したから、背景技術で示した円弧状に湾曲する気泡管とは異なり、形状がシンプルで成形が容易に可能であるため量産性に富むなど、極めて実用性に秀れた画期的な勾配測定器となる。
【００１７】
また、特に請求項１記載の発明においては、収容体の形状のシンプルさから、この収容体のレベル体への取付も容易に行われることとなる。
【００１８】
また、特に請求項４記載の発明においては、収容体自体（収容体単体）が測定器として機能し得るため、レベル体（本体）が不要となる極めてコスト安な勾配測定器が実現できる。
【００１９】
また、請求項２記載の発明においては、収容体を、例えば完全な円盤形とせず、半円盤形若しくは扇盤形としたため、例えば完全な円盤形とした場合に比べて、この収容体がレベル体に占める面積がさほど大きくならず、レベル体を小型化して一層コスト安な設計とすることも可能となるなど、極めて実用性に秀れた勾配測定器となる。
【００２０】
また、請求項３記載の発明においては、レベル体の横基準面を使用して簡単に測定面の水平を測定することができる一層実用性に秀れた構成の勾配測定器となる。
【００２１】
また、請求項５記載の発明においては、収容体の横基準面を使用して簡単に測定面の水平を測定することができる一層実用性に秀れた構成の勾配測定器となる。
【００２２】
また、請求項６記載の発明においては、測定面に対して、勾配表示による勾配と直交する方向の傾きをも簡単に測定することができる一層実用性に秀れた構成の勾配測定器となる。
【００２３】
また、請求項７記載の発明においては、測定面の勾配表示による勾配と直交する方向の傾きを一層迅速に且つ正確に測定できる極めて実用性に秀れた構成の勾配測定器となる。
【発明を実施するための最良の形態】
【００２４】
好適と考える本発明の実施形態（発明をどのように実施するか）を、図面に基づいて本発明の作用を示して簡単に説明する。
【００２５】
レベル体３の傾斜に応じて収納体４内の気泡５が円弧周面部４Ａに沿って移動する。
【００２６】
基準部２若しくは基準辺面11を測定面１に当接し、気泡５位置に対応する勾配表示６を読み取ることで勾配を測定することができる。
【００２７】
従って、異なる勾配を示した多数の気泡管を要せずとも、この円弧周面部４Ａを移動する気泡５によって様々な勾配を測定可能である。
【００２８】
また、本発明では、気泡管を採用せず、円弧周面部４Ａを有する中空盤状の収容体４を気泡管の代わりに採用し、この収容体４内に液体を収納することで気泡５を形成する構成としたため、背景技術で示した円弧状に湾曲する気泡管にあっては、形状が複雑なためにブロー成形を行ったり、断面半円形の半管体を継合して管体としたりするなどの厄介な製作工程を要するものであったが、この円弧周面部４Ａを有する中空盤状の収容体４は非常にシンプルな形状であるため、例えば型成形によって簡易に製作が可能で量産性に富む。
【００２９】
また、特に請求項１記載の発明においては、収容体４の形状のシンプルさから、この収容体４のレベル体３への取付も容易に行われることとなる。
【００３０】
また、背景技術で示した円弧状に湾曲する気泡管にあっては、これ単体では測定器としての機能は得られず、基準面を備えたレベル体に組み込む必要があったが、本発明の場合、特に請求項４記載の発明のように構成することで、収容体４自体（収容体４単体）が測定器として機能し得るため、レベル体３が全く不要であってそれだけコスト安な勾配測定器となり、上記したようにこの収容体４が量産性に富むことと相まって、極めて実用的となる。
【００３１】
また、例えば、前記収容体４は半円盤状若しくは扇盤状に形成し、この収容体４の前記円弧周面部４Ａに沿って前記気泡５が移動し得るように構成すれば、例えば、完全な円盤形としない分、レベル体３に占める収容体４の面積がさほど大きくならず、よってレベル体３を小型化してコスト安な設計とすることも可能となるなど、一層実用的となる。
【００３２】
また、例えば、前記レベル体３の側面部を、このレベル体３を横にして側面部が水平測定面１に当接した際、前記収容体４の側盤面側へ移動する前記気泡５がこの側盤面で静止する横基準面３Ａに構成すれば、この横基準面３Ａを使用して測定面１の水平を測定することができる。
【００３３】
即ち、レベル体３を横にして横基準面３Ａを測定面１に当接した際、収容体４の側盤面側へ移動する前記気泡５がこの側盤面で静止すれば、測定面１が水平であることがわかるし、いずれかの方向へ移動すれば、測定面１が傾斜していることがわかる。
【００３４】
また、例えば、請求項４記載の勾配測定器において、前記収容体４の側盤面を、この収容体４を横にして側盤面が水平測定面１に当接した際、この収容体４の側盤面側へ移動する前記気泡５がこの側盤面で静止する横基準面４Ｂに構成すれば、この横基準面４Ｂを使用して測定面１の水平を測定することができる。
【００３５】
即ち、収容体４を横にして横基準面４Ｂを測定面１に当接した際、収容体４の側盤面側へ移動する前記気泡５がこの側盤面で静止すれば、測定面１が水平であることがわかるし、いずれかの方向へ移動すれば、測定面１が傾斜していることがわかる。
【００３６】
また、例えば、前記収容体４の円弧状周縁部４Ａの円周方向と直交する方向の横幅を、前記気泡５の横幅よりも大きく設定して、この円弧状周縁部４Ａに対して気泡５が横移動し得るように構成し、この気泡５の横移動により前記勾配表示６による勾配と直交する方向の傾きを測定し得るように構成すれば、前記基準部２若しくは前記基準辺面11を測定面１に当接した際に、気泡５が円弧状周縁部４Ａの横幅の中心に位置していれば、前記勾配表示６による勾配と直交する方向で測定面１が水平であることがわかるし、気泡５が円弧状周縁部４Ａの横幅の中心よりいずれか側方へ位置していれば、勾配表示６による勾配と直交する方向で測定面１が傾いていることがわかる。
【００３７】
即ち、単に、基準部２若しくは前記基準辺面11を測定面１に当接するだけで、勾配表示６による測定面１の勾配測定に加えて、測定面１の勾配表示６による勾配と直交する方向の傾きをも簡単に測定することができる。
【００３８】
また、例えば、前記円弧状周縁部４Ａの断面形状を、略平坦面状に形成すれば、円弧状周縁部４Ａに対する気泡５の横移動がスムーズに行われるため、測定面１の勾配表示６による勾配と直交する方向の傾きを一層迅速に且つ正確に測定できることになる。
【実施例１】
【００３９】
図１〜図４は本発明の第一実施例を示している。
【００４０】
測定面１に当接する基準部２を備えたレベル体３に、円弧周面部４Ａを有する中空盤状の収容体４を付設し、この収容体４内に液体を収納することで形成した気泡５が前記円弧周面部４Ａに沿って移動するように構成している。
【００４１】
具体的には、レベル体３は図１，図２に示すような断面方形状を呈する薄平板体に形成し、このレベル体３の底部に基準部２を設けている。
【００４２】
基準部２は、レベル体３の下部に設けた断面略コ字状の接地部材２で構成され、図３に示すようにこの接地部材２の対向する接地脚２Ａによって、管体などの湾曲測定面１への当接を良好に行うことができるようにしている。
【００４３】
また、対向する接地脚２Ａ間に形成される凹条２Ｂを、例えば、土木工事のやり形（丁張）の上面（測定面１）に被嵌当接することができ、この際、一方の接地脚２Ａに螺着した固定具７（固定ネジ７）をやり形に対して締め付けすることでレベル体３をやり形に固定できる構成としている（図３参照）。
【００４４】
収容体４は半円盤状の中空体に形成し、この半円盤状の収容体４の前記円弧周面部４Ａに沿って気泡５が移動し得るように構成している。
【００４５】
また、円弧周面部４Ａの断面形状を、上方へ凸となる凸湾曲断面形状に形成している。
【００４６】
また、本実施例では、この収容体４を樹脂で一体に型成形している。従って、この収容体４は、安価に成形可能であって且つ量産性に秀れる構成としている。
【００４７】
本実施例では、この半円盤状の収容体４を、その直径部分たるストレート辺面が下部となり、円弧周面部４Ａが上部となる縦設状態にしてレベル体３に付設すると共に、このストレート辺面が前記基準部２と略平行となるように配設している。即ち、本実施例では、レベル体３を上下逆にして基準部２を上にしない限り、円弧周面部４Ａ（上縁部）に常に気泡５が沿設するように設けている（図２参照）。
【００４８】
更に詳しく説明すると、本実施例では、レベル体３の側面に横並設状態にして半円形の貫通窓を二箇所形成し、この各貫通窓に夫々前記収容体４を配設固定して、レベル体３の正面・背面のどちら側からでも、この収容体４（気泡５）を確認（目視）できるように構成している。
【００４９】
即ち、本実施例では、レベル体３に二個の収容体４を付設した構成としている。
【００５０】
本実施例では、この円弧周面部４Ａに勾配表示６を設けて、気泡５位置に対応するこの勾配表示６を読み取ることで勾配を測定し得るように構成している。
【００５１】
具体的には、円弧周面部４Ａに隣接する収容体４両側盤部の縁面部（平坦盤面）に、この円弧周面部４Ａの円周方向に間隔を置いて複数の勾配表示６たる指示線６を表示している。従って、このように平坦面部に指示線６を表示したことで、湾曲面に指示線６を表示する場合に比べてこの指示線６を非常に確認し易いことになる。
【００５２】
また、更に詳しく説明すると、図２，図４において左側の収容体４の円弧周面部４Ａには、その中央部の所定範囲にだけ指示線６を表示し、右側の収容体４の円弧周面部４Ａには、その左側部の所定範囲にだけ指示線６を表示している。
【００５３】
即ち、比較的小さい勾配を測定する場合には、図面左側の収容体４の気泡５で測定し（図４参照）、大きな勾配を測定する場合には、図面右側の収容体４の気泡５で測定するというように二つのレベル測定部を使い分けできる構成としている。
【００５４】
また、図面左側の収納体４に位置を対応させてレベル体３の上面部に透視窓８を形成すると共に、この透視窓８にも図示省略の指示線（勾配表示）を表示し、この透視窓８からも気泡５の位置を確認して水平や緩い勾配を測定できるように構成している。
【００５５】
尚、この指示線６の本数は任意に設定する。例えば、従来の法勾配測定器には、ブロック積用と切盛土用と林道用のいずれも設定勾配が異なる三種類があるが、この三種類の法勾配測定器に設定される全ての勾配を指示線６として二つの収容体４の円弧周面部４Ａに表示すれば、本実施例の勾配測定器は、これ一台で三つの用途を兼用できることになり、極めて実用的となる。
【００５６】
図中符号９は気泡管を採用した９０度レベル、10は同じく気泡管を採用した４５度レベルであって、本実施例では、レベル体３の上面に多数のレベル気泡管を直列に設ける構成でなく、半円盤状の収容体４を二個横並設状態に設けた構成のために、レベル体３の両端にこの９０度レベル９と４５度レベル10を設けることも容易に設計実現可能である。
【００５７】
尚、本実施例では、勾配表示６を円弧周面部４Ａに表示した場合を示したが、円弧周面部４Ａ近傍のレベル体３表面、即ち、例えばレベル体３の前記貫通窓の窓縁等に表示しても良い。
【実施例２】
【００５８】
図５は第二実施例を示している。
【００５９】
本実施例は、レベル体３の側面部を、このレベル体３を横にして側面部が水平測定面１に当接した際、前記収容体４の側盤面側へ移動する前記気泡５がこの側盤面で静止する横基準面３Ａに構成した場合である。
【００６０】
具体的には、前記第一実施例において、接地脚２Ａを備えた基準部２たる接地部材２を設けずに、レベル体３の下面を平坦な基準部２（基準面）とすることでレベル体３の側方に突出するものをなくしている。そしてこれにより、レベル体３の平坦面となる両側の側盤部を前記横基準面３Ａとしている。
【００６１】
また、この横基準面３Ａと収容体４の側盤部とが平行となるようにして収容体４をレベル体３に配設固定し、これによりレベル体３を横にして横基準面３Ａを測定面１に載置当接すると、気泡５が収容体４の側盤面側へ移動するが、この気泡５がこの側盤面の略中央部で静止すれば、測定面１が水平であることがわかるし、いずれかの端の方向へ移動すれば、測定面１が傾斜していることがわかる構成としている。
【実施例３】
【００６２】
図６，図７は第三実施例を示している。
【００６３】
本実施例は、半円形を呈する中空盤状の収容体４の辺面を測定面１に当接する基準辺面11とし、この収容体４内に、液体を収納することで気泡５を形成すると共に、この気泡５が前記円弧周面部４Ａに沿って移動するように構成し、この円弧周面部４Ａに勾配表示６を設けて、気泡５位置に対応するこの勾配表示６を読み取ることで勾配を測定し得るように構成した勾配測定器に係るものである。
【００６４】
具体的には、前記第一実施例の収容体４が単体で測定器となったというべきもので、この収容体４の直径部分たるストレート辺面が測定面１に当接する基準辺面11となる構成である。即ち、本実施例では、基準辺面11と収容体４の両側盤部とが直交関係となるように設定する。
【００６５】
また、本実施例では、円弧状周縁４Ａの断面形状を、前記第一実施例とは異なる略平坦面状に形成し、更に気泡５の横幅は第一実施例と同様にして、収容体４の厚みを前記第一実施例の収容体４よりも厚く設定している。
【００６６】
即ち、本実施例では、前記収容体４の円弧状周縁部４Ａの円周方向と直交する方向の横幅を、前記気泡５の横幅よりも大きく設定して、この円弧状周縁部４Ａに対して気泡５が横移動し得るように構成し、前記基準辺面11を測定面１に当接した際のこの気泡５の横移動により、前記勾配表示６による勾配と直交する方向の傾きを測定し得るように構成している。
【００６７】
また、円弧状周縁４Ａの断面形状は、完全な平坦面ではなく、やや中央部が上方へ凸となる非常に緩やかな湾曲面とすると、気泡５の中央への位置決め作用が得られ、実用的となる。
【００６８】
尚、この第三実施例で示した、勾配表示６による勾配と直交する方向の傾きを測定する構造は、前記第一，第二実施例にも適用可能である。
【００６９】
また、本実施例では、前記第一実施例と同様に、円弧周面部４Ａに隣接する収容体４の両側盤部の縁面部に勾配表示６たる指示線６を表示し、加えて、円弧周面部４Ａにも指示線６を表示して、気泡５の位置を正面，背面，平面の三方向から確認できるようにしている。
【００７０】
また、この指示線６の表示範囲を前記第一実施例よりも広範囲に設定して、この勾配測定器一つで様々な勾配を測定できるように構成している。
【００７１】
また、本実施例では、前記収容体４の側盤面を、この収容体４を横にして側盤面が水平測定面１に当接した際、この収容体４の側盤面側へ移動する前記気泡５がこの側盤面で静止する横基準面４Ｂに構成している。
【００７２】
即ち、収容体４を横にして横基準面４Ｂを測定面１に載置当接すると、気泡５が収容体４の側盤面側へ移動するが、この気泡５がこの側盤面の略中央部で静止すれば、測定面１が水平であることがわかるし、いずれかの端の方向へ移動すれば、測定面１が傾斜していることがわかる構成としている。
【００７３】
尚、本発明は、第一，第二，第三実施例に限られるものではなく、各構成要件の具体的構成は適宜設計し得るものである。
【００７４】
例えば、本実施例では、半円盤状の収容体４を採用した場合を示したが、円盤形状や扇盤形状の収容体４を採用しても良い。
【図面の簡単な説明】
【００７５】
【図１】第一実施例を示す斜視図である。
【図２】第一実施例を示す正面図である。
【図３】第一実施例の説明断面図である。
【図４】第一実施例の勾配測定状態を示す説明正面図である。
【図５】第二実施例のレベル体を横にした状態を示す斜視図である。
【図６】第三実施例を示す斜視図である。
【図７】第三実施例の説明断面図である。
【符号の説明】
【００７６】
１  測定面
２  基準部
３  レベル体
３Ａ  横基準面
４  収容体
４Ａ  円弧周面部
４Ｂ  横基準面
５  気泡
６  勾配表示
11  基準辺面
【図１】
2005291965.tif 000003
【図２】
2005291965.tif 000004
【図３】
2005291965.tif 000005
【図４】
2005291965.tif 000006
【図５】
2005291965.tif 000007
【図６】
2005291965.tif 000008
【図７】
2005291965.tif 000009